(57)【要約】【課題】従来のソーラー携帯電話充電器の形状は、持ち歩きには不便であり、特に外出中に携帯電話の充電切れを起こしたときは大変困るものであった。【解決手段】ソーラー携帯電話充電器２をポシェット１にとりつける。１の内側にゴムバンド３を設け携帯電話を支示する。コンセント５を設けると携帯電話以外にも使用できる。ソーラー充電器と携帯電話を入れるポケット７を、バッグ６の前面に取り付ける事によりバッグの中に物が入れる事も可能になる。【選択図】図１
2006296176.tif 000002
【特許請求の範囲】
【請求項１】
ポシェットの前面に、ソ−ラ−携帯電話充電器を設けたことを特徴とするポシェト。
【請求項２】
前記ポシェットは、ウェストベルトに結びつけられたりする小型で持ち歩きに便利であり、携帯電話以外にも使用できることを特徴とする請求項１記載のソ−ラ−充電器付きポシェット。
【発明の詳細な説明】
【技術分野】
【０００１】  この発明は、ソ−ラ−携帯電話充電器をポシェットの前面に取り付け、どこでもいつでも充電可能にする技術に関する。
【背景技術】
【０００２】  従来のソ−ラ−携帯電話充電器は、家屋や車中において充電するものである。
【発明の開示】
【発明が解決しようとする課題】
【０００３】  しかしながら、以上の技術によれば、持ち歩きには不便であり、特に外出中に充電切れを起こした際、大変困るものであった。
そこで、この発明は、持ち歩きに便利で、携帯電話を使用しない時はいつもこのポシェットに入れておく間に、どこでも、いつでも充電でき、また、遭難した際にも助けを呼べる「充電ポシェット」を提供することを課題とする。
【課題を解決するための手段】
【０００４】  以上の課題を解決するために、第一発明は、ソーラー携帯電話充電器をポシェットに取り付け、持ち歩きを可能にしたことを特徴とする。
また、第二発明は、コンセントを設け、携帯電話だけでなく他の機器の充電もできる充電ポシェットである。
【発明の効果】
【０００５】  第一発明、または第二発明によれば、ソ−ラ−携帯電話充電器をポシェットに取り付けたので、持ち歩きに便利で、いつでもどこでも携帯電話の充電ができる。
【発明を実施するための最良の形態】
【０００６】  この発明の一実施形態を、図１に示す。
ポシェットの本体１は、ソ−ラ−充電器を取り付けに耐えうる皮製又は厚手の布製であり、この本体１の前面には、ソ−ラ−充電器２が一体的に設けられている。このソ−ラ−充電器のコ−ドが内側に設けられて、内側に携帯電話を入れられる。【０００７】  「実施形態の効果」
この実施形態によれば、ポシェットに取り付けたソ−ラ−充電器の働きで、携帯電話を入れたときに充電できる。したがって、ポシェットなので、持ち歩きしやすい。男性はウエストベルトにポシェットを結びつけたり、また女性もカバンに結びつけたりして持ち歩くことも出きる。携帯電話を使用しない時にポシェットに入れておくだけで、いつでもどこでも充電できる。遭難の際でも充電でき、救助を呼べる。ソ−ラ−なので環境に良い。【０００８】「他の実施形態」
図１の実施形態では、携帯電話のみの充電を可能にしたが、他の実施形態では、携帯電話だけでなく、他の機器にも使用できるように、コンセントを設けたものでも良い。
【産業上の利用可能性】
【０００＊】
【図面の簡単な説明】
【０００９】
【図１】この発明の一実施形態を示す斜視図である。
【図２】この発明の一実施形態を示す断面図である。
【図３】この発明のコンセントを設けた実施形態を示す断面図である。
【符号の説明】
【００１０】１．ポシェット本体            ２．ソ−ラ−充電器
３．携帯電話支持ゴムバンド    ４．ソ−ラ−充電器コ−ド
５．コンセント
【図１】
2006296176.tif 000003
【図２】
2006296176.tif 000004
【図３】
2006296176.tif 000005
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
ポシェットの前面に、ソーラー携帯電話充電器を設けたことを特徴とするポシェト。
【請求項２】
前記ポシェットは、ウェストベルトに結びつけられたりする小型で持ち歩きに便利であり、携帯電話以外にも使用できることを特徴とする請求項１記載のソーラー充電器付きポシェット。
【請求項３】
バッグの前面に、ソーラー携帯電話充電器と携帯電話入るポケットを設けたことを特徴とするバッグ。
【手続補正２】
【補正対象書類名】明細書
【補正対象項目名】全文
【補正方法】変更
【補正の内容】
【発明の詳細な説明】
【技術分野】
【０００１】  この発明は、ソーラー携帯電話充電器をポシェットやバッグの前面に取り付け、どこでもいつでも充電可能にする技術に関する。
【背景技術】
【０００２】  従来のソーラー携帯電話充電器は、家屋や車中において充電するものである。
【発明の開示】
【発明が解決しようとする課題】
【０００３】  しかしながら、以上の技術によれば、持ち歩きには不便であり、特に外出中に充電切れを起こした際、大変困るものであった。
そこで、この発明は、持ち歩きに便利で、携帯電話を使用しない時はいつもこのポシェットやバッグに入れておく間に、どこでも、いつでも充電でき、また、遭難した際にも助けを呼べる「充電ポシェット」、「充電バッグ」を提供することを課題とする。
【課題を解決するための手段】
【０００４】  以上の課題を解決するために、第一発明は、ソーラー携帯電話充電器をポシェットに取り付け、持ち歩きを可能にしたことを特徴とする。
また、第二発明は、コンセントを設け、携帯電話だけでなく他の機器の充電もできる充電ポシェットである。
第三発明は、ソーラー携帯電話充電器をバッグに取り付け、持ち歩きを可能にしたことを特徴とする。
【発明の効果】
【０００５】  第一発明、または第二発明、第三発明によれば、ソーラー携帯電話充電器をポシェットやバッグに取り付けたので、持ち歩きに便利で、いつでもどこでも携帯電話の充電ができる。
【発明を実施するための最良の形態】
【０００６】  この発明の一実施形態を、図１に示す。
ポシェットの本体１は、ソーラー充電器を取り付けに耐えうる皮製又は厚手の布製であり、この本体１の前面には、ソーラー充電器２が一体的に設けられている。このソーラー充電器のコードが内側に設けられて、内側に携帯電話を入れられる。
この発明の一実施形態を、図１に示す。【０００７】  「実施形態の効果」
この実施形態によれば、ポシェットに取り付けたソーラー充電器の働きで、携帯電話を入れたときに充電できる。したがって、ポシェットなので、持ち歩きしやすい。男性はウエストベルトにポシェットを結びつけたり、また女性もカバンに結びつけたりして持ち歩くことも出きる。携帯電話を使用しない時にポシェットに入れておくだけで、いつでもどこでも充電できる。また、ポセットの底の方を広くし、ポセット前面を傾斜にし保ち、ソーラー充電器が、日光を受けやすように設計している。遭難の際でも充電でき、救助を呼べる。ソーラーなので環境に良い。【０００８】  「他の実施形態」
図１の実施形態では、携帯電話のみの充電を可能にしたが、他の実施形態では、携帯電話だけでなく、他の機器にも使用できるように、コンセントを設けたものでも良い。
「他の実施形態２」
図１の実施形態では、携帯電話のみを中にいれるものだが、他の実施形態２では、携帯電話を入れ部分もバッグの前面に取り付けたため、なかに物を入れる事にも使用できるようにしたので良い。底の方を広くし、バッグ側面を傾斜にし、ソーラー充電器が日光を受けやすくして設計している。
【産業上の利用可能性】
【０００＊】
【図面の簡単な説明】
【０００９】
【図１】この発明の一実施形態を示す斜視図である。
【図２】この発明の一実施形態を示す断面図である。
【図３】この発明のコンセントを設けた実施形態を示す断面図である。
【図４】この発明のバッグ様式の実施形態を示す断面図である。
【符号の説明】
【００１０】      １．ポシェット本体            ２．ソーラー充電器
３．ゴムバンド                ４．ソーラー充電器コード
５．コンセント                ６．バッグ本体
７．携帯電話入れ
【手続補正３】
【補正対象書類名】図面
【補正対象項目名】全図
【補正方法】変更
【補正の内容】
【図１】
2006296176.tif 000006
【図３】
2006296176.tif 000007
【図２】
2006296176.tif 000008
【図４】
2006296176.tif 000009
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
ポ−チの前面に、ソ−ラ−携帯電話充電器を設けたことを特徴とするポ−チ。底部を広くして前面に傾斜を持たせ、ソ−ラ−充電器が日光を受けやすく設計したことをも特徴とする。ランドセルや通学カバンに引っかけられたりもする。男性の通勤カバンや女性のハンドバッグなどにも引っかけて利用できる。
【請求項２】
携帯電話のカバ−（着ぐるみ、オ−バ−オ−ル）の前面にソ−ラ−充電器を一体化することを特徴とするソ−ラ−充電器付きカバ−（着ぐるみ、オ−バ−オ−ル）である。携帯電話を使用しないときは、日光に向かって置いておくだけで充電できる。
【請求項３】
バッグの前面に、ソ−ラ−携帯電話充電器と携帯電話が入るポケットを設けたことを特徴とするバッグ。底を広くし前面に傾斜を持たせて、ソ−ラ−充電器が日光を受けやすく設計したことをも特徴とする。女性達の買い物バッグにもなる。
2006296176.tif 000010
2006296176.tif 000011
2006296176.tif 000012
2006296176.tif 000013
2006296176.tif 000014
2006296176.tif 000015
2006296176.tif 000016
2006296176.tif 000017